(57)【要約】【課題】  キャパシタの電圧により、充放電特性の異なるキャパシタ及び鉛蓄電池の充放電をそれぞれ切り換えて独立して制御することで、太陽電池からの電力を最大限搾り出して効率の良い充放電が可能な太陽光発電による充放電制御装置及び太陽光発電による充放電制御方法を提供することにある。【解決手段】  通常はキャパシタに充電を行い、キャパシタの電圧が鉛蓄電池充電閾値以上になった場合に、充電先をキャパシタから鉛蓄電池に切り換え、通常は負荷に対してキャパシタから放電を行い、キャパシタの電圧が鉛蓄電池充電閾値よりも低く設定された鉛蓄電池放電閾値以下になった場合に、放電元をキャパシタから鉛蓄電池に切り換えるようにすることを特徴とする。【選択図】図１
2012029513.tif 000002
【特許請求の範囲】
【請求項１】
太陽電池により発電された電力を蓄えるキャパシタ及び鉛蓄電池に充電し、該キャパシタ及び該鉛蓄電池から負荷に対し放電を行う太陽光発電による充放電制御装置において、
該太陽電池と該キャパシタとの間に接続されて該キャパシタの充電をオン又はオフするキャパシタ充電制御スイッチと、
該太陽電池と該鉛蓄電池との間に接続されて該鉛蓄電池の充電をオン又はオフする鉛蓄電池充電制御スイッチと、
該キャパシタと該負荷との間に接続されて該キャパシタの放電をオン又はオフするキャパシタ放電制御スイッチと、
該鉛蓄電池と該負荷との間に接続されて該鉛蓄電池の放電をオン又はオフする鉛蓄電池放電制御スイッチと、
該キャパシタの電圧を検出するキャパシタ電圧検出手段と、
該キャパシタ電圧検出手段により検出された該キャパシタの電圧により、該キャパシタ充電制御スイッチ、該鉛蓄電池充電制御スイッチ、該キャパシタ放電制御スイッチ及び該鉛蓄電池放電制御スイッチのオン及びオフを制御する制御部とを備えることを特徴とする太陽光発電による充放電制御装置。
【請求項２】
前記制御部が、
通常は前記キャパシタ充電制御スイッチをオンすると共に前記鉛蓄電池充電制御スイッチをオフすることで前記キャパシタに充電を行い、該キャパシタの電圧が鉛蓄電池充電閾値以上になった場合に、該鉛蓄電池充電制御スイッチをオンすると共に該キャパシタ充電制御スイッチをオフすることで、充電先を該キャパシタから前記鉛蓄電池に切り換え、
通常は前記キャパシタ放電制御スイッチをオンすると共に前記鉛蓄電池放電制御スイッチをオフすることで前記負荷に対して該キャパシタから放電を行い、該キャパシタの電圧が該鉛蓄電池充電閾値よりも低く設定された鉛蓄電池放電閾値以下になった場合に、該キャパシタ放電制御スイッチをオフすると共に該鉛蓄電池放電制御スイッチをオンすることで、放電元を該キャパシタから該鉛蓄電池に切り換えるように制御することを特徴とする請求項１記載の太陽光発電による充放電制御装置。
【請求項３】
前記制御部が、
前記鉛蓄電池が充電されている状態で、前記キャパシタの電圧が、前記鉛蓄電池充電閾値より低く設定されたキャパシタ充電閾値以下になった場合に、前記キャパシタ充電制御スイッチをオンすると共に前記鉛蓄電池充電制御スイッチをオフすることで、充電先を該鉛蓄電池から該キャパシタに切り換えるように制御することを特徴とする請求項２記載の太陽光発電による充放電制御装置。
【請求項４】
前記制御部が、
前記鉛蓄電池から前記負荷に対して放電している状態で、前記キャパシタの電圧が、前記鉛蓄電池放電閾値より高く設定されたキャパシタ放電閾値以上になった場合に、前記鉛蓄電池放電制御スイッチをオフすると共に前記キャパシタ放電制御スイッチをオンすることで、放電元を該鉛蓄電池から該キャパシタに切り換えるように制御することを特徴とする請求項２記載の太陽光発電による充放電制御装置。
【請求項５】
太陽電池により発電された電力を蓄えるキャパシタ及び鉛蓄電池に充電し、該キャパシタ及び該鉛蓄電池から負荷に対し放電を行う太陽光発電による充放電制御方法において、
該キャパシタの電圧により、該キャパシタ及び該鉛蓄電池の充放電をそれぞれ切り換えることを特徴とする太陽光発電による充放電制御方法。
【請求項６】
通常は前記キャパシタに充電を行い、該キャパシタの電圧が鉛蓄電池充電閾値以上になった場合に、充電先を該キャパシタから前記鉛蓄電池に切り換え、
通常は前記負荷に対して該キャパシタから放電を行い、該キャパシタの電圧が該鉛蓄電池充電閾値よりも低く設定された鉛蓄電池放電閾値以下になった場合に、放電元を該キャパシタから該鉛蓄電池に切り換えるようにすることを特徴とする請求項５記載の太陽光発電による充放電制御方法。
【請求項７】
前記鉛蓄電池が充電されている状態で、前記キャパシタの電圧が、前記鉛蓄電池充電閾値より低く設定されたキャパシタ充電閾値以下になった場合に、充電先を該鉛蓄電池から該キャパシタに切り換えるようにすることを特徴とする請求項６記載の太陽光発電による充放電制御方法。
【請求項８】
前記鉛蓄電池から前記負荷に対して放電している状態で、前記キャパシタの電圧が、前記鉛蓄電池放電閾値より高く設定されたキャパシタ放電閾値以上になった場合に、放電元を該鉛蓄電池から該キャパシタに切り換えるようにすることを特徴とする請求項６記載の太陽光発電による充放電制御方法。
【発明の詳細な説明】
【技術分野】
【０００１】
本発明は、太陽電池により蓄電池に充電し、蓄電池からの放電で負荷を動作させる場合の太陽光発電による充放電制御装置及び太陽光発電による充放電制御方法に関する。
【背景技術】
【０００２】
従来より、太陽電池により蓄電池に充電し、蓄電池からの放電で負荷を動作させるための充放電制御装置が、各種用いられている。その中で、例えば、特許文献１に示されるような太陽電池により鉛蓄電池とキャパシタとを充電し、負荷に対し放電する電源装置がある。この特許文献１に示される電源装置は、充放電制御の制御部に、日射量を測定するセンサを設け、日射量が安定しているか変動しているかを判定し、安定している場合は鉛蓄電池を充電し、変動する場合はキャパシタに充電するようにしている。
【先行技術文献】
【特許文献】
【０００３】
【特許文献１】特開２０１０−１０４１１７号公報
【発明の概要】
【発明が解決しようとする課題】
【０００４】
しかしながら、従来の電源装置は、日射量を基に充電先を換えていることから、必ずしも発電量・充電状況に応じて充電を行っているわけではなく、太陽電池からの電力を無駄なく利用することが困難である。
【０００５】
本発明は、このような事情に鑑みてなされたもので、キャパシタの電圧により、充放電特性の異なるキャパシタ及び鉛蓄電池の充放電をそれぞれ切り換えて独立して制御することで、太陽電池からの電力を最大限搾り出して効率の良い充放電が可能な太陽光発電による充放電制御装置及び太陽光発電による充放電制御方法を提供することにある。
【課題を解決するための手段】
【０００６】
請求項１記載の太陽光発電による充放電制御装置は、太陽電池とキャパシタとの間に接続されてキャパシタの充電をオン又はオフするキャパシタ充電制御スイッチと、太陽電池と鉛蓄電池との間に接続されて鉛蓄電池の充電をオン又はオフする鉛蓄電池充電制御スイッチと、キャパシタと負荷との間に接続されてキャパシタの放電をオン又はオフするキャパシタ放電制御スイッチと、鉛蓄電池と負荷との間に接続されて鉛蓄電池の放電をオン又はオフする鉛蓄電池放電制御スイッチと、キャパシタの電圧を検出するキャパシタ電圧検出手段と、キャパシタ電圧検出手段により検出されたキャパシタの電圧により、キャパシタ充電制御スイッチ、鉛蓄電池充電制御スイッチ、キャパシタ放電制御スイッチ及び鉛蓄電池放電制御スイッチのオン及びオフを制御する制御部とを備えることを特徴とする。
【０００７】
請求項２記載の太陽光発電による充放電制御装置は、制御部が、通常はキャパシタ充電制御スイッチをオンすると共に鉛蓄電池充電制御スイッチをオフすることでキャパシタに充電を行い、キャパシタの電圧が鉛蓄電池充電閾値以上になった場合に、鉛蓄電池充電制御スイッチをオンすると共にキャパシタ充電制御スイッチをオフすることで、充電先をキャパシタから鉛蓄電池に切り換え、通常はキャパシタ放電制御スイッチをオンすると共に鉛蓄電池放電制御スイッチをオフすることで負荷に対してキャパシタから放電を行い、キャパシタの電圧が鉛蓄電池充電閾値よりも低く設定された鉛蓄電池放電閾値以下になった場合に、キャパシタ放電制御スイッチをオフすると共に鉛蓄電池放電制御スイッチをオンすることで、放電元をキャパシタから鉛蓄電池に切り換えるように制御することを特徴とする。
【０００８】
請求項３記載の太陽光発電による充放電制御装置は、制御部が、鉛蓄電池が充電されている状態で、キャパシタの電圧が、鉛蓄電池充電閾値より低く設定されたキャパシタ充電閾値以下になった場合に、キャパシタ充電制御スイッチをオンすると共に鉛蓄電池充電制御スイッチをオフすることで、充電先を鉛蓄電池からキャパシタに切り換えるように制御することを特徴とする。
【０００９】
請求項４記載の太陽光発電による充放電制御装置は、制御部が、鉛蓄電池から負荷に対して放電している状態で、キャパシタの電圧が、鉛蓄電池放電閾値より高く設定されたキャパシタ放電閾値以上になった場合に、鉛蓄電池放電制御スイッチをオフすると共にキャパシタ放電制御スイッチをオンすることで、放電元を鉛蓄電池からキャパシタに切り換えるように制御することを特徴とする。
【００１０】
請求項５記載の太陽光発電による充放電制御方法は、キャパシタの電圧により、キャパシタ及び鉛蓄電池の充放電をそれぞれ切り換えることを特徴とする。
【００１１】
請求項６記載の太陽光発電による充放電制御方法は、通常はキャパシタに充電を行い、キャパシタの電圧が鉛蓄電池充電閾値以上になった場合に、充電先をキャパシタから鉛蓄電池に切り換え、通常は負荷に対してキャパシタから放電を行い、キャパシタの電圧が鉛蓄電池充電閾値よりも低く設定された鉛蓄電池放電閾値以下になった場合に、放電元をキャパシタから鉛蓄電池に切り換えるようにすることを特徴とする。
【００１２】
請求項７記載の太陽光発電による充放電制御方法は、鉛蓄電池が充電されている状態で、キャパシタの電圧が、鉛蓄電池充電閾値より低く設定されたキャパシタ充電閾値以下になった場合に、充電先を鉛蓄電池からキャパシタに切り換えるようにすることを特徴とする。
【００１３】
請求項８記載の太陽光発電による充放電制御方法は、鉛蓄電池から負荷に対して放電している状態で、キャパシタの電圧が、鉛蓄電池放電閾値より高く設定されたキャパシタ放電閾値以上になった場合に、放電元を鉛蓄電池からキャパシタに切り換えるようにすることを特徴とする。
【発明の効果】
【００１４】
請求項１及び請求項５の発明によれば、キャパシタの電圧により、充放電特性の異なるキャパシタ及び鉛蓄電池の充放電をそれぞれ切り換えて独立して制御することで、太陽電池からの電力を最大限搾り出して効率の良い充放電が可能である。
【００１５】
請求項２及び請求項６の発明によれば、通常はキャパシタに充電を行い、キャパシタの電圧が鉛蓄電池充電閾値以上になった場合に、充電先をキャパシタから鉛蓄電池に切り換えることで、通常は負荷に対してキャパシタから放電を行い、キャパシタの電圧が鉛蓄電池充電閾値よりも低く設定された鉛蓄電池放電閾値以下になった場合に、放電元をキャパシタから鉛蓄電池に切り換えるようにすることで、キャパシタの電圧を基に、太陽電池の出力に応じて充放電先を切り換え、太陽電池からの電力を最大限搾り出して効率の良い充放電を可能にしている。
【００１６】
請求項３、請求項４，請求項７及び請求項８の発明によれば、充放電先を切り換える電圧にヒステリシスを設けることで、頻繁に充放電が切りかわることを抑え、キャパシタや鉛蓄電池の劣化を抑えることができる。
【図面の簡単な説明】
【００１７】
【図１】本発明に係る充放電システムの一例を示す構成図である。
【図２】同充放電システムの晴天時における充放電の様子を示すグラフである。
【図３】同充放電システムの制御部の動作を示す説明図である。
【図４】同充放電システムの曇天時における充放電の様子を示すグラフである。
【図５】同充放電システムの雨天時における充放電の様子を示すグラフである。
【発明を実施するための形態】
【００１８】
以下、本発明の形態について図面を参照しながら具体的に説明する。図１は、本発明に係る充放電システムの一例を示す構成図である。図２は、同充放電システムの晴天時における充放電の様子を示すグラフである。図３は、同充放電システムの制御部の動作を示す説明図である。図４は、同充放電システムの曇天時における充放電の様子を示すグラフである。図５は、同充放電システムの雨天時における充放電の様子を示すグラフである。
【００１９】
図において、本発明の形態における充放電システム１は、太陽電池６、充放電制御部１０、キャパシタ２０、鉛蓄電池２２及び負荷８等により構成されており、太陽電池６により発電された電力を、キャパシタ２０及び鉛蓄電池２２に充電し、キャパシタ２０及び鉛蓄電池２２から負荷８に対し放電を行う太陽光発電による充放電制御装置である。充放電制御部１０は、電子回路で、例えばマイクロコンピュータにより制御が行われる制御部１２、制御部１２からの制御でオン又はオフが行われるキャパシタ充電制御スイッチ１４ａ、鉛蓄電池充電制御スイッチ１４ｂ、キャパシタ放電制御スイッチ１６ａ及び鉛蓄電池放電制御スイッチ１６ｂ並びにダイオード９等から構成されている。また、制御部１２には、キャパシタ２０の電圧を検出しその値を取り込む機能も設けられている。尚、本実施の形態は、制御部１２があたかもソフトウェアで動いているように説明しているが、論理回路等のハードのみで同様の動きをするように構成させるようにしてもかまわない。
【００２０】
本件のキャパシタ２０は、大きな電力の充放電が可能な比較的大型のキャパシタで、例えば電気２重層コンデンサやリチウムイオン・キャパシタ等である。また、負荷８すなわち本充放電システム１の用途は、例えば、屋外音声案内サインボード用電源、監視カメラシステム用電源、テレメーター用電源、屋外用センサー電源、電光掲示板用電源等の主に屋外で使用する電気電子機器である。
【００２１】
次に、充放電システム１の接続を説明する。太陽電池６の出力は、充放電制御部１０のキャパシタ充電制御スイッチ１４ａに接続されると共に、鉛蓄電池２２の充電制御手段であるＭＰＰＴ制御部２４に接続されている。ＭＰＰＴ制御部２４の出力は、充放電制御部１０の鉛蓄電池充電制御スイッチ１４ｂに接続されている。
【００２２】
キャパシタ２０は、充放電制御部１０のキャパシタ充電制御スイッチ１４ａに接続されると共に、キャパシタ放電制御スイッチ１６ａに接続され、また、制御部１２の電圧入力にも接続されている。鉛蓄電池２２は、充放電制御部１０の鉛蓄電池充電制御スイッチ１４ｂに接続されると共に、鉛蓄電池放電制御スイッチ１６ｂに接続されている。そして、負荷８が、逆流防止用であるダイオード９を介して、キャパシタ放電制御スイッチ１６ａと鉛蓄電池放電制御スイッチ１６ｂに接続されている。尚、図では記載していないが、キャパシタ２０の出力電圧が負荷８に必要な電圧に満たない場合には、キャパシタ放電制御スイッチ１６ａとダイオード９との間に、ＤＣ−ＤＣコンバータを設けて昇圧又は降圧させるようにしてもよい。
【００２３】
次に、このように構成された充放電システム１の動作を説明する。まず通常、晴天の午前中の段階のキャパシタ２０に相当量の電力が蓄えられている状態では、充電はキャパシタ２０に対して行われており、また、放電もキャパシタ２０から行われる（図２のＡ点付近）。具体的には、図３（ａ）に示すように、キャパシタ充電制御スイッチ１４ａがオンで、鉛蓄電池充電制御スイッチ１４ｂがオフで、キャパシタ２０に充電が行われている。また、キャパシタ放電制御スイッチ１６ａがオンで、鉛蓄電池放電制御スイッチ１６ｂがオフで、キャパシタ２０から負荷８に対して放電が行われている。
【００２４】
この状態から、太陽電池６の発電が進み、キャパシタ２０の電圧が上昇し、制御部１２が鉛蓄電池充電閾値（Ｖｂｃ：例えば１４．０ボルト）を検出すると、制御部１２は、図３（ｂ）に示すように、鉛蓄電池充電制御スイッチ１４ｂをオンすると共にキャパシタ充電制御スイッチ１４ａをオフすることで、充電先をキャパシタ２０から鉛蓄電池２２に切り換える。
【００２５】
但し、この鉛蓄電池２２が充電されている状態でも、放電はキャパシタ２０で行われている。このため、キャパシタ２０の電圧が徐々に下がることになる。そして、制御部１２が、キャパシタ２０の電圧が、鉛蓄電池充電閾値を下回り、さらにキャパシタ充電閾値（Ｖｃｃ：例えば１３．３ボルト）を検出すると、図３（ａ）に示すように、キャパシタ充電制御スイッチ１４ａをオンすると共に鉛蓄電池充電制御スイッチ１４ｂをオフすることで、充電先を鉛蓄電池２２からキャパシタ２０に切り換える。すると、またキャパシタ２０の充電が行われキャパシタ２０の電圧が上昇することになる。晴天時で日照が続く時間帯では、キャパシタ２０と鉛蓄電池２２との充電が交互に切り替わりながら、負荷８にはキャパシタ２０から放電が行われる。この間、鉛蓄電池２２からの放電は行われないので、鉛蓄電池２２には充電のみが行われ、十分な電力が鉛蓄電池２２には蓄えられることになる。
【００２６】
そして、晴天時でも夕方になり日がかげり始めると（図２のＢ点付近）、充電はキャパシタ２０側となり、またキャパシタ２０から放電された状態で太陽電池６の発電量も減るので、キャパシタ２０の電圧はどんどん下がることになる。そして、制御部１２が、キャパシタ２０の電圧が、鉛蓄電池放電閾値（Ｖｂｄ：例えば１０．０ボルト）を検出すると、図３（ｃ）に示すように、制御部１２が、キャパシタ放電制御スイッチ１６ａをオフすると共に鉛蓄電池放電制御スイッチ１６ｂをオンすることで、放電元をキャパシタ２０から鉛蓄電池２２に切り換える。このときでも、充電は、キャパシタ２０側のままである。この状態で、夜間は、鉛蓄電池２２から放電が行われ、負荷８が動作を続けることになる。
【００２７】
そして、夜が明けて朝日が差すようになると、太陽電池６の発電量が増え、キャパシタ２０の電圧が上昇していく。さらに上昇を続け、制御部１２が、キャパシタ２０の電圧が鉛蓄電池放電閾値を上回り、さらにキャパシタ放電閾値（Ｖｃｄ：例えば１０．５ボルト）を検出すると、図３（ａ）に示すように、鉛蓄電池放電制御スイッチ１６ｂをオフすると共にキャパシタ放電制御スイッチ１６ａをオンすることで、放電元を鉛蓄電池２２からキャパシタ２０に切り換える。但し、早朝時は、太陽電池６の発電量は多くなく、キャパシタ２０の電圧が、鉛蓄電池放電閾値（Ｖｂｄ）とキャパシタ放電閾値（Ｖｃｄ）との間を行き来し、放電元が適宜切り替わることになる。そして、太陽電池６の発電量が増えた以降は、上述の通りである。
【００２８】
次に、曇天時を例に、充放電システム１の動作を説明する。図４が曇天時の様子を示すグラフであるが、朝方の日が差してくる段階では、キャパシタ２０に充電が行われキャパシタ２０の電圧が上昇してキャパシタ放電閾値（Ｖｃｄ）を超えるため、放電元が鉛蓄電池２２からキャパシタ２０に切り替わる。但し、曇天の場合、晴天時ほどにキャパシタ２０の充電が進まないことから、少し日が陰ってしまうと放電電力の方が充電を上回り、キャパシタ２０の電圧が下降することになる。そして、鉛蓄電池放電閾値（Ｖｂｄ）を下回ると、制御部１２が、キャパシタ放電制御スイッチ１６ａをオフすると共に鉛蓄電池放電制御スイッチ１６ｂをオンすることで、放電元をキャパシタ２０から鉛蓄電池２２に切り換える。充電先がキャパシタ２０のままで放電元が鉛蓄電池２２になることから、キャパシタ２０の電圧は再び上昇していく。そして、またキャパシタ放電閾値（Ｖｃｄ）を超えると、制御部１２が、鉛蓄電池放電制御スイッチ１６ｂをオフすると共にキャパシタ放電制御スイッチ１６ａをオンすることで、放電元を鉛蓄電池２２からキャパシタ２０に切り換える。日差しが強くならない曇天では、以上のような状態が繰り返され、夕方以降はキャパシタ２０の電圧が鉛蓄電池放電閾値（Ｖｂｄ）を下回ったままになり、鉛蓄電池２２からの放電のみとなる。雨天時の例を図５に示すが、雨天時も曇天時と似たような動作を示す。雨天時の場合は、昼間であってもキャパシタ２０への充電が促されないため、曇天時以上に、放電元の切り換えが頻繁に行われることになる。
【００２９】
以上のような本実施の形態に示す充放電システム１の太陽光発電による充放電制御方法による動作の概要を、表１に示す。尚、各閾値の具体的な電圧は、あくまでも例示であり、キャパシタ２０や鉛蓄電池２２の種類や、充放電システム１の設置環境等により、適宜定めるようにすればよい。
【００３０】
【表１】
2012029513.tif 000003
【００３１】
尚、各閾値の設定方法としては、例えば、鉛蓄電池放電閾値（Ｖｂｄ）は、キャパシタ２０の出力に接続されたＤＣ−ＤＣコンバータ（不図示）の動作可能な最大電圧に設定する。また、キャパシタ放電閾値（Ｖｃｄ）は、適宜設定する。さらに、例えば、鉛蓄電池充電閾値（Ｖｂｃ）は、キャパシタ２０の最大使用電圧で、鉛蓄電池２２の充電が可能な電圧に設定する。さらに、キャパシタ充電閾値（Ｖｃｃ）は、適宜設定する。
【００３２】
従来、鉛蓄電池２２のシステムにおいては、曇りや雨の日など太陽電池６から十分な電力の供給が得られない場合に、鉛蓄電池２２の出力電圧より太陽電池６の電圧の方が低く、鉛蓄電池２２に充電できないという問題があった。これに対し、本実施の形態の制御部１２は、キャパシタ２０の電圧を基準に、この電圧が鉛蓄電池２２の充電に十分でない場合は、鉛蓄電池２２の充電は行わず、専らキャパシタ２０の充電に回路を切り換えるようにしている。
【００３３】
また、従来、キャパシタ２０のシステムにおいては、負荷電流に対し大きな容量を持たせるためキャパシタ２０の電圧が、太陽電池６の電圧より高く、キャパシタ２０に充電がかからないという問題があった。これに対し、本実施の形態の制御部１２は、通常はキャパシタ２０に充電しつつ放電もキャパシタ２０から行うようにしている。
【００３４】
このように、本実施の形態の充放電システム１によれば、キャパシタ２０の電圧により、充放電特性の異なるキャパシタ２０及び鉛蓄電池２２の充放電をそれぞれ切り換えて独立して制御することで、例えば、曇りや雨の日で太陽電池６の出力が微少であっても、その出力を充放電に効率よく振り分けて無駄を抑え、太陽電池６からの電力を最大限搾り出して効率の良い充放電が可能である。
【００３５】
また、放電元を切り換える閾値である鉛蓄電池放電閾値（Ｖｄｂ）とキャパシタ放電閾値（Ｖｃｄ）と、また充電先を切り換える閾値である鉛蓄電池充電閾値（Ｖｂｃ）とキャパシタ充電閾値（Ｖｃｃ）と、それぞれの充放電先を切り換える電圧にヒステリシスを設けることで、頻繁に充放電が切りかわることを抑え、キャパシタ２０や鉛蓄電池２２の劣化を抑えることができる。
【産業上の利用可能性】
【００３６】
以上のように、キャパシタの電圧により、充放電特性の異なるキャパシタ及び鉛蓄電池の充放電をそれぞれ切り換えて独立して制御することで、太陽電池からの電力を最大限搾り出して効率の良い充放電が可能な太陽光発電による充放電制御装置及び太陽光発電による充放電制御方法を提供することができる。
【符号の説明】
【００３７】
１・・・・・充放電システム
６・・・・・太陽電池
８・・・・・負荷
９・・・・・ダイオード
１０・・・・充放電制御部
１２・・・・制御部
１４ａ・・・キャパシタ充電制御スイッチ
１４ｂ・・・鉛蓄電池充電制御スイッチ
１６ａ・・・キャパシタ放電制御スイッチ
１６ｂ・・・鉛蓄電池放電制御スイッチ
２０・・・・キャパシタ
２２・・・・鉛蓄電池
２４・・・・ＭＰＰＴ制御部
【図１】
2012029513.tif 000004
【図２】
2012029513.tif 000005
【図３】
2012029513.tif 000006
【図４】
2012029513.tif 000007
【図５】
2012029513.tif 000008